(57)【特許請求の範囲】
【請求項１】
木造建築物の軸組内に嵌合固定される木製のフレームと、
前記フレーム内に配置される制震ダンパーと、
前記制震ダンパーが直接或いは取付部材を介して間接的に固定されるダンパー固定部と、前記軸組への本固定部と、前記フレームへの仮固定部とを備えたブラケット金具と、を含み、
前記ブラケット金具は、前記フレームの厚み方向の中央に、前記制震ダンパー或いは前記取付部材が嵌入可能な間隔を有して一対の前記ダンパー固定部を備えると共に、一方の前記ダンパー固定部の外側に前記本固定部が、他方の前記ダンパー固定部の外側に前記仮固定部がそれぞれ領域を分けて別々に形成されて、
前記ブラケット金具は、前記仮固定部を介して前記フレームに仮固定された状態で、前記ダンパー固定部に前記制震ダンパー或いは前記取付部材が固定されることを特徴とする木造用制震フレーム。
【請求項２】
木造建築物の軸組内に嵌合固定される木製のフレームと、
前記フレーム内に配置される制震ダンパーと、
前記制震ダンパーが直接或いは取付部材を介して間接的に固定されるダンパー固定部と、前記軸組への本固定部と、前記フレームへの仮固定部とを備えたブラケット金具と、を含み、
前記ブラケット金具は、前記フレームの厚み方向の中央に前記ダンパー固定部を備えると共に、前記厚み方向で前記ダンパー固定部の一方の外側に前記本固定部が、他方の外側に前記仮固定部がそれぞれ領域を分けて別々に形成されて、
前記ブラケット金具は、前記仮固定部を介して前記フレームに仮固定された状態で、前記ダンパー固定部の前記仮固定部側に前記制震ダンパー或いは前記取付部材が固定されることを特徴とする木造用制震フレーム。
【請求項３】
木造建築物の軸組内に嵌合固定される木製のフレームと、
前記フレーム内に配置される制震ダンパーと、
前記制震ダンパーが直接或いは取付部材を介して間接的に固定されるダンパー固定部と、前記軸組への本固定部と、前記フレームへの仮固定部とを備えたブラケット金具と、を含み、
前記ブラケット金具の前記本固定部と前記仮固定部とはそれぞれ領域を分けて別々に形成されて、
前記ブラケット金具は、前記仮固定部を介して前記フレームに仮固定された状態で、前記仮固定部が形成される領域で前記ダンパー固定部に前記制震ダンパー或いは前記取付部材が固定されることを特徴とする木造用制震フレーム。
【請求項４】
前記本固定部には、複数の本固定用ビス孔が形成され、前記仮固定部には、複数の仮固定用ビス孔が形成されて、前記本固定用ビス孔の数は、前記仮固定用ビス孔の数よりも多いことを特徴とする請求項１乃至３の何れかに記載の木造用制震フレーム。
【請求項５】
木造建築物の軸組内に、請求項１乃至４の何れかに記載の木造用制震フレームを嵌合させ、前記ブラケット金具の前記本固定部を前記フレームを介して前記軸組に固定することを特徴とする木造用制震フレームの取付構造。
【発明の詳細な説明】
【技術分野】
【０００１】
本発明は、パネル工法の木造建築物に制震を目的として取り付けられる木造用制震フレームと、その木造用制震フレームを木造建築物に取り付けるための取付構造とに関する。
【背景技術】
【０００２】
軸組の木造建築物において、高い耐震性を得るために、土台と梁、柱との間に形成された矩形空間に、当該空間に嵌合する外枠と、その外枠内に架設される筋交いとからなる耐力パネルを組み付けるパネル工法が知られている（例えば特許文献１）。このパネル工法は、耐力パネルを予め工場で製造しておき、建築現場で軸組内に取り付けることで施工されるため、品質管理や施工が容易で工期が短縮できる利点がある。
【先行技術文献】
【特許文献】
【０００３】
【特許文献１】特開２００２−１０６０６７号公報
【発明の概要】
【発明が解決しようとする課題】
【０００４】
このようなパネル工法においても、耐力パネル内に粘弾性ダンパー等の制震ダンパーを組み込んで制震フレームとして機能させる試みがある。例えば制震ダンパーがブレース状に組み込まれる制震フレームの場合、制震ダンパーの両端長手方向に延長木材等の取付部材を接合した制震ブレースを、ブラケットを介してフレームに接合して制震フレームを予め製造することになるが、この制震フレームでは、施工現場でフレームを軸組内に取り付けることはできても、フレーム内の制震ブレースを土台や柱等の軸組に連結することができないため、軸組の変形に伴う軸方向力が制震ブレースに十分に伝わらず、効果的な制震作用が得られない。従って、パネル工法への適用は難しく、制震ブレースを直接軸組に取り付ける施工にとどまっていた。
【０００５】
そこで、本発明は、パネル工法に適用できて必要な制震作用が得られる木造用制震フレームと、その木造用制震フレームを木造建築物に取り付けるための取付構造とを提供することを目的としたものである。
【課題を解決するための手段】
【０００６】
上記目的を達成するために、請求項１に記載の発明は、木造用制震フレームであって、木造建築物の軸組内に嵌合固定される木製のフレームと、フレーム内に配置される制震ダンパーと、制震ダンパーが直接或いは取付部材を介して間接的に固定されるダンパー固定部、軸組への本固定部、フレームへの仮固定部を備えたブラケット金具と、を含み、ブラケット金具は、フレームの厚み方向の中央に、制震ダンパー或いは取付部材が嵌入可能な間隔を有して一対のダンパー固定部を備えると共に、一方のダンパー固定部の外側に本固定部が、他方のダンパー固定部の外側に仮固定部がそれぞれ領域を分けて別々に形成されて、ブラケット金具は、仮固定部を介してフレームに仮固定された状態で、ダンパー固定部に制震ダンパー或いは取付部材が固定されることを特徴とするものである。
上記目的を達成するために、請求項２に記載の発明は、木造用制震フレームであって、木造建築物の軸組内に嵌合固定される木製のフレームと、フレーム内に配置される制震ダンパーと、制震ダンパーが直接或いは取付部材を介して間接的に固定されるダンパー固定部、軸組への本固定部、フレームへの仮固定部を備えたブラケット金具と、を含み、ブラケット金具は、フレームの厚み方向の中央にダンパー固定部を備えると共に、当該厚み方向でダンパー固定部の一方の外側に本固定部が、他方の外側に仮固定部がそれぞれ領域を分けて別々に形成されて、ブラケット金具は、仮固定部を介してフレームに仮固定された状態で、ダンパー固定部の仮固定部側に制震ダンパー或いは取付部材が固定されることを特徴とするものである。
上記目的を達成するために、請求項３に記載の発明は、木造用制震フレームであって、木造建築物の軸組内に嵌合固定される木製のフレームと、フレーム内に配置される制震ダンパーと、制震ダンパーが直接或いは取付部材を介して間接的に固定されるダンパー固定部、軸組への本固定部、フレームへの仮固定部を備えたブラケット金具と、を含み、ブラケット金具の本固定部と仮固定部とはそれぞれ領域を分けて別々に形成されて、ブラケット金具は、仮固定部を介してフレームに仮固定された状態で、仮固定部が形成される領域でダンパー固定部に制震ダンパー或いは取付部材が固定されることを特徴とするものである。
請求項４に記載の発明は、請求項１乃至３の何れかの構成において、本固定部には、複数の本固定用ビス孔が形成され、仮固定部には、複数の仮固定用ビス孔が形成されて、本固定用ビス孔の数は、仮固定用ビス孔の数よりも多いことを特徴とするものである。
上記目的を達成するために、請求項５に記載の発明は、木造用制震フレームの取付構造であって、木造建築物の軸組内に、請求項１乃至４の何れかに記載の木造用制震フレームを嵌合させ、ブラケット金具の本固定部をフレームを介して軸組に固定することを特徴とするものである。
【発明の効果】
【０００７】
請求項１乃至３及び５に記載の発明によれば、ブラケット金具に軸組への本固定部とフレームへの仮固定部とを設けたことで、予め製造した木造用制震フレームを施工現場で軸組に取り付けるパネル工法にも適用可能となり、必要な制震作用が得られる。よって、品質管理や施工が容易で工期が短縮できるというパネル工法による利点も享受できる。
特に、ブラケット金具の本固定部と仮固定部とがそれぞれ独立して形成されることで、本固定部と仮固定部とを容易に区別でき、仮固定と本固定とに係る作業がやりやすくなる。
請求項４に記載の発明によれば、請求項１乃至３の何れかの効果に加えて、本固定用ビス孔の数を仮固定用ビス孔の数よりも多くしているので、作業者には本固定部と仮固定部との区別がよりしやすくなる上、本固定に必要な取付強度も確保できる。
【図面の簡単な説明】
【０００８】
【図１】形態１の木造用制震フレームの正面図である。
【図２】形態１のブラケット金具の説明図で、（Ａ）は正面、（Ｂ）は側面、（Ｃ）は底面をそれぞれ示す。
【図３】形態１の木造用制震フレームを取り付けた軸組の正面図である。
【図４】（Ａ）は図３のＡ矢視図、（Ｂ）は図３のＢ矢視図である。
【図５】形態２の木造用制震フレームの正面図である。
【図６】形態２のブラケット金具の説明図で、（Ａ）は正面、（Ｂ）は側面、（Ｃ）は底面をそれぞれ示す。
【図７】形態２の木造用制震フレームを取り付けた軸組の正面図である。
【図８】（Ａ）は図７のＡ矢視図、（Ｂ）は図７のＢ矢視図である。
【図９】形態３のブラケット金具の説明図で、（Ａ）は平面、（Ｂ）は正面、（Ｃ）は側面をそれぞれ示す。
【図１０】形態３の木造用制震フレームを取り付けた軸組の仕口部の説明図で、（Ａ）が鉛直方向上側からの矢視図、（Ｂ）が水平方向左側からの矢視図である。
【図１１】形態４のブラケット金具の説明図で、（Ａ）は平面、（Ｂ）は正面、（Ｃ）は側面をそれぞれ示す。
【図１２】形態４の木造用制震フレームを取り付けた軸組の仕口部の説明図で、（Ａ）が鉛直方向上側からの矢視図、（Ｂ）が水平方向左側からの矢視図である。
【図１３】図３において補強プレートを設けた変更例の正面図である。
【図１４】（Ａ）は図１３のＡ矢視図、（Ｂ）は図１３のＢ矢視図である。
【発明を実施するための形態】
【０００９】
以下、本発明の実施の形態を図面に基づいて説明する。
［形態１］
図１は、木造用制震フレーム（以下単に「制震フレーム」という。）の一例を示す正面図である。この制震フレーム１は、木造建築物の軸組内に嵌合する縦長四角形状のフレーム２と、そのフレーム２内に対角線上に架設される制震ブレース３とからなる。フレーム２は、左右一対の縦枠４，４と、その縦枠４，４の上下端に両端が接合される上下一対の横枠５，５とで形成され、両縦枠４，４の内側には、縦枠４と平行な補強枠６，６が接合されている。
制震ブレース３は、制震ダンパーとしての粘弾性ダンパー７の長手方向両端に、取付部材としての延長木材８，８を接合してなる。この粘弾性ダンパー７は、筒状の外管９と内管１０とを同軸で部分的に重合させて両管９，１０の間に図示しない粘弾性体を接着したもので、外管９の端部に延設した接合部１１が一方の延長木材８に接合され、内管１０の端部と他方の延長木材８とが接合金具１２によって接合されている。
【００１０】
そして、各延長木材８は、積層材で形成されて、ブラケット金具１３を介してフレーム２のコーナー部（縦枠４と横枠５との仕口部）に接合される。このブラケット金具１３は、図２に示すように、矩形状のダンパー固定部１４と、ダンパー固定部１４の長辺と短辺とからそれぞれ直角に折曲される第１取付部１５及び第２取付部１６とからなり、ダンパー固定部１４には、延長木材８が配設される傾斜方向に沿って複数のビス孔１７，１７・・が形成されている。
【００１１】
このビス孔は、第１取付部１５と第２取付部１６とにおいても形成されるが、ここでは端部側の本固定部Ｓ１と、ダンパー固定部１４側の仮固定部Ｓ２とに領域が分けられて、本固定部Ｓ１に本固定用ビス孔１８，１８・・が、仮固定部Ｓ２に仮固定用ビス孔１９，１９・・がそれぞれ形成されている。この本固定部Ｓ１は、ダンパー固定部１４の内面側に接合された延長木材８を第１取付部１５及び第２取付部１６に投影させた場合に、投影部分の外側に露出する領域で、仮固定部Ｓ２は、投影部分内に収まる領域となっている。また、第１、第２取付部１５，１６において、本固定用ビス孔１８の数は、仮固定用ビス孔１９の数よりも多く形成されている。
【００１２】
以上の如く構成された制震フレーム１は、工場等で予め製造することができる。まずフレーム２を作製した後、制震ブレース３が架設される対角線上の仕口部において、ブラケット金具１３，１３をそれぞれ取り付ける。このとき、図４に示すように各ブラケット金具１３のダンパー固定部１４の外面がフレーム２の厚み方向の端面と一致する位置で、第１取付部１５の仮固定部Ｓ２を、仮固定用ビス孔１９，１９・・を用いてフレーム２の縦枠４に仮固定用ビス２０，２０によって固定し、第２取付部１６の仮固定部Ｓ２を、仮固定用ビス孔１９，１９・・を用いてフレーム２の横枠５に仮固定用ビス２０，２０・・によって固定する。
【００１３】
こうして対角線上の仕口部に取り付けたブラケット金具１３，１３の間に、制震ブレース３を掛け渡して、各延長木材８の先端部を、各ブラケット金具１３のダンパー固定部１４の内面に、ビス孔１７，１７・・を用いてビス２１，２１・・によって固定する。最後に補強枠６，６を、制震ブレース３の架設側と反対側の端面からフレーム２内に取り付けると、フレーム２内に制震ブレース３が架設された制震フレーム１が得られる。この状態で各ブラケット金具１３の第１、第２取付部１５，１６の本固定部Ｓ１は、延長木材８に隠されることなく露出している。
【００１４】
この制震フレーム１を木造建築物の施工現場で軸組に取り付ける場合は、図３，４に示すように、左右の柱３１，３１及び上下の梁３２、土台３３で形成される軸組３０内にフレーム２を嵌め込み、各ブラケット金具１３の第１取付部１５における本固定部Ｓ１を、本固定用ビス孔１８，１８・・を用いて仮固定用ビス２０よりも長い本固定用ビス３４，３４・・により、縦枠４を介して柱３１までねじ込むことで固定する。そして、第２取付部１６における本固定部Ｓ１も、本固定用ビス孔１８，１８・・を用いて横枠５を介して上側のブラケット金具１３では梁３２まで、下側のブラケット金具１３では土台３３まで本固定用ビス３４，３４・・をねじ込むことで固定する。すると、フレーム２が本固定用ビス３４，３４・・によって軸組３０内に固定されると共に、制震ブレース３の延長木材８，８がブラケット金具１３，１３を介して軸組３０に固定される。
よって、地震等によって軸組３０が加振されると、水平方向の変位が制震ブレース３に伝わって軸方向に圧縮力と引張力とを交互に作用させるため、粘弾性ダンパー７の粘弾性体が剪断変形を生じさせて振動エネルギーを熱エネルギーに変換し、減衰作用を生じさせる。
【００１５】
このように、上記形態１の制震フレーム１及びその取付構造によれば、軸組３０内に嵌合固定される木製のフレーム２と、フレーム２内に配置される粘弾性ダンパー７と、粘弾性ダンパー７が延長木材８，８を介して間接的に固定されるダンパー固定部１４、軸組３０への本固定部Ｓ１、フレーム２への仮固定部Ｓ２を備えたブラケット金具１３，１３と、を含む制震フレーム１を予め製造して、ブラケット金具１３を、ダンパー固定部１４に延長木材８を固定した状態で、仮固定部Ｓ２を介してフレーム２に仮固定し、本固定部Ｓ１をフレーム２を介して軸組３０に本固定するようにしたことで、予め製造した制震フレーム１を施工現場で軸組３０に取り付けるパネル工法にも適用可能となり、必要な制震作用が得られる。よって、品質管理や施工が容易で工期が短縮できるというパネル工法による利点も享受できる。
【００１６】
特にここでは、ブラケット金具１３の本固定部Ｓ１と仮固定部Ｓ２とはそれぞれ別々に形成されるので、本固定部Ｓ１と仮固定部Ｓ２とを容易に区別でき、仮固定と本固定とに係る作業がやりやすくなる。
また、本固定部Ｓ１の本固定用ビス孔１８の数を、仮固定部Ｓ２の仮固定用ビス孔１９の数よりも多くしているので、作業者には本固定部Ｓ１と仮固定部Ｓ２との区別がよりしやすくなる上、本固定に必要な取付強度も確保できる。
【００１７】
なお、形態１において、ダンパー固定部のビス孔の数と、第１、第２取付部の本固定用ビス孔及び仮固定用ビス孔の数とは、上記形態に限らず、適宜増減可能である。但し、これらのビス孔は全て用いる必要はなく、一部を選択してビスをねじ込むようにしても差し支えない。
また、ダンパー固定部や第１、第２取付部の形状も、例えばダンパー固定部を矩形状以外に延長木材の接合方向へ突出する台形状としたり、正方形状や扇状としたり、第１、第２取付部をダンパー固定部よりも長く形成したり等、適宜変更可能である。
さらに、上記形態では、仮固定、本固定共にビスによる固定としているが、例えば仮固定を釘打ちとして本固定をビスとする等、仮固定と本固定とで固定手段を変えることもできる。
【００１８】
次に、本発明の他の形態を説明する。但し、形態１と同じ構成部には同じ符号を付して重複する説明は省略する。
［形態２］
図５に示す制震フレーム１Ａにおいても、制震ブレース３がブラケット金具４０，４０を介してフレーム２の仕口部に取り付けられる。このブラケット金具４０は、図６に示すように、形態１と同様にダンパー固定部４１、第１取付部４２、第２取付部４３とからなるものであるが、第１、第２取付部４２，４３は、フレーム２の厚みの略半分の高さで形態１よりも低く形成されている。また、ここでの第１、第２取付部４２，４３においては、本固定部Ｓ１と仮固定部Ｓ２との領域分けがなされておらず、複数のビス孔４４，４４・・がランダムに形成されて、このビス孔４４，４４・・の一部を本固定用に、残りを仮固定用に任意に使い分け可能となっている。すなわち、第１、第２取付部４２，４３は、同一領域内で本固定部Ｓ１と仮固定部Ｓ２とに兼用される兼用固定部となる。
【００１９】
以上の如く構成された制震フレーム１Ａも、工場等で予め製造する場合、作製したフレーム２の対角線上の仕口部において、ブラケット金具４０，４０をそれぞれ取り付ける。このとき、図８に示すように各ブラケット金具４０のダンパー固定部４１がフレーム２の厚み方向の中央となるように片側へ寄せた位置で、第１取付部４２を、３つのビス孔４４，４４・・を用いてフレーム２の縦枠４に仮固定用ビス２０，２０・・で固定し、第２取付部４３も、３つのビス孔４４，４４・・を用いてフレーム２の横枠５に仮固定用ビス２０，２０・・で固定して仮固定を行う。
【００２０】
こうして対角線上に取り付けたブラケット金具４０，４０の間に、制震ブレース３を掛け渡して、各延長木材８の先端部を、各ブラケット金具４０のダンパー固定部４１の外側（第１、第２取付部４２，４３の折曲側と反対側）の面にあてがった状態で、ビス孔１７を用いてビス２１によって固定する。最後に補強枠６，６を、制震ブレース３の架設側と反対の端面から取り付けると、フレーム２内に制震ブレース３が架設された制震フレーム１Ａが得られる。この状態で各ブラケット金具４０の第１、第２取付部４２，４３は延長木材８に隠されることなく露出している。
【００２１】
この制震フレーム１Ａを軸組３０に取り付ける場合は、図７，８に示すように、軸組３０内にフレーム２を嵌め込み、各ブラケット金具４０の第１取付部４２では、残りのビス孔４４を用いて縦枠４を介して柱３１まで本固定用ビス３４をねじ込んで本固定する。そして、第２取付部４３でも、残りのビス孔４４を用いて横枠５を介して上側のブラケット金具４０では梁３２まで、下側のブラケット金具４０では土台３３まで本固定用ビス３４をねじ込んで本固定する。すると、フレーム２が本固定用ビス３４，３４・・によって軸組３０内に固定されると共に、制震ブレース３の延長木材８，８がブラケット金具４０，４０を介して軸組３０に固定される。
よって、地震等によって軸組３０が加振されると、水平方向の変位が制震ブレース３に伝わって軸方向に圧縮力と引張力とを交互に作用させるため、粘弾性ダンパー７の粘弾性体が剪断変形を生じさせて振動エネルギーを熱エネルギーに変換し、減衰作用を生じさせる。
【００２２】
このように、上記形態２の制震フレーム１Ａ及びその取付構造においても、軸組３０内に嵌合固定される木製のフレーム２と、フレーム２内に配置される粘弾性ダンパー７と、粘弾性ダンパー７が延長木材８，８を介して間接的に固定されるダンパー固定部４１、軸組３０への本固定部Ｓ１、フレーム２への仮固定部Ｓ２を備えたブラケット金具４０，４０と、を含む制震フレーム１Ａを予め製造して、ブラケット金具４０を、ダンパー固定部４１に延長木材８を固定した状態で、仮固定部Ｓ２を介してフレーム２に仮固定し、本固定部Ｓ１をフレーム２を介して軸組３０に本固定するようにしたことで、予め製造した制震フレーム１Ａを施工現場で軸組３０に取り付けるパネル工法にも適用可能となり、必要な制震作用が得られる。よって、品質管理や施工が容易で工期が短縮できるというパネル工法による利点も享受できる。
【００２３】
特にここでは、ブラケット金具４０に、一部を本固定部Ｓ１として、残りを仮固定部Ｓ２として使用可能な兼用固定部（第１、第２取付部４２，４３）を形成したことで、ブラケット金具４０がコンパクトとなり、厚みの薄いフレームであっても省スペースで用いることができる。
【００２４】
なお、形態２において、ダンパー固定部のビス孔の数と、第１、第２取付部のビス孔の数とは、上記形態に限らず、適宜増減可能である。但し、これらのビス孔は全て用いる必要はなく、一部を選択してビスをねじ込むようにしても差し支えない。
特に第１、第２取付部のビス孔においては、仮固定用のビス孔と本固定用のビス孔とを予め決定して使い分けるようにしてもよい。この場合、仮固定用と本固定用とが容易に区別できるように、ビス孔の近傍に印を付けたり、ビス孔の周囲に着色したり等する識別手段を設けるのが望ましい。また、仮固定用と本固定用とでビスの太さを変えてビス孔の大きさを変えることで識別するようにもできる。
さらに、ダンパー固定部や第１、第２取付部の形状も、例えばダンパー固定部を矩形状以外に延長木材の接合方向へ突出する台形状としたり、正方形状や扇状としたり、第１、第２取付部をダンパー固定部よりも長く形成したり等、適宜変更可能である。
そして、仮固定、本固定共にビスによる固定としているが、例えば仮固定を釘打ちとして本固定をビスとする等、仮固定と本固定とで固定手段を変えることもできる。
【００２５】
［形態３］
図９に示すブラケット金具５０は、長辺部５２と短辺部５３とからなる側面視Ｌ字状の板体５１と、その板体５１の長辺部５２の幅方向中央に、延長木材８が嵌入可能な間隔をおいて固定される一対の矩形状のダンパー固定部５４，５４とからなる。ダンパー固定部５４には、複数のビス孔５５，５５・・がそれぞれ形成される一方、両ダンパー固定部５４，５４の外側で長辺部５２と短辺部５３とにも、複数のビス孔がそれぞれ形成される。但し、ここでは一方のダンパー固定部５４の外側に位置する長辺部５２と短辺部５３との端縁部分が本固定部Ｓ１となってここに本固定用ビス孔５６，５６・・が形成され、他方のダンパー固定部５４の外側に位置する長辺部５２と短辺部５３との端縁部分が仮固定部Ｓ２となってここに仮固定用ビス孔５７，５７・・が形成されている。
【００２６】
このブラケット金具５０も、形態１，２と同様にフレーム２内で制震ブレース３を対角線上に架設させるために用いられる。すなわち、フレーム２の各仕口部においては、図１０に示すように、長辺部５２の仮固定部Ｓ２を、仮固定用ビス孔５７，５７・・を用いて縦枠４に仮固定用ビス２０で固定し、短辺部５３の仮固定部Ｓ２を、仮固定用ビス孔５７，５７・・を用いて横枠５に仮固定用ビス２０で固定することでフレーム２に仮固定できる。次に、ダンパー固定部５４，５４の間に延長木材８の端部を挿入してビス孔５５を用いてビス２１で固定することで、制震ブレース３をブラケット金具５０，５０間に架設した制震フレーム１Ｂを得ることができる。
【００２７】
そして、施工現場では、長辺部５２の本固定部Ｓ１を、本固定用ビス孔５６，５６・・を用いて、縦枠４を介して柱３１まで本固定用ビス３４をねじ込んで本固定する。そして、短辺部５３の本固定部Ｓ１も、本固定用ビス孔５６，５６・・を用いて、横枠５を介して上側のブラケット金具５０では梁３２まで、下側のブラケット金具５０では土台３３まで本固定用ビス３４をねじ込んで本固定する。すると、制震フレーム１Ｂのフレーム２が本固定用ビス３４，３４・・によって軸組３０内に固定されると共に、制震ブレース３の延長木材８，８がブラケット金具５０，５０を介して軸組３０に固定される。
【００２８】
このように、上記形態３の制震フレーム１Ｂ及びその取付構造においても、軸組３０内に嵌合固定される木製のフレーム２と、フレーム２内に配置される粘弾性ダンパー７と、粘弾性ダンパー７が延長木材８，８を介して間接的に固定されるダンパー固定部５４，５４、軸組３０への本固定部Ｓ１、フレーム２への仮固定部Ｓ２を備えたブラケット金具５０，５０と、を含む制震フレーム１Ｂを予め製造して、ブラケット金具５０を、ダンパー固定部５４，５４に延長木材８を固定した状態で、仮固定部Ｓ２を介してフレーム２に仮固定し、本固定部Ｓ１をフレーム２を介して軸組３０に本固定するようにしたことで、予め製造した制震フレーム１Ｂを施工現場で軸組３０に取り付けるパネル工法にも適用可能となり、必要な制震作用が得られる。よって、品質管理や施工が容易で工期が短縮できるというパネル工法による利点も享受できる。
【００２９】
なお、形態３において、ダンパー固定部のビス孔の数と、本固定用ビス孔及び仮固定用ビス孔の数とは、上記形態に限らず、適宜増減可能である。よって、仮固定用ビス孔を本固定用ビス孔よりも数を少なくすることもできる。本固定部と仮固定部とは左右逆であってもよい。但し、これらのビス孔は全て用いる必要はなく、一部を選択してビスをねじ込むようにしても差し支えない。
また、ダンパー固定部や板体の形状も、例えばダンパー固定部を矩形状以外に延長木材の接合方向へ突出する台形状としたり、正方形状や扇状としたり、板体の両端を同じ長さとしたり、仮固定部の幅を本固定部の幅よりも狭くしたり等、適宜変更可能である。
さらに、仮固定、本固定共にビスによる固定としているが、例えば仮固定を釘打ちとして本固定をビスとする等、仮固定と本固定とで固定手段を変えることもできる。
そして、ここでは本固定部Ｓ１と仮固定部Ｓ２とを形態１のように領域分けしているが、形態２のようにダンパー固定部５４，５４の両側にそれぞれ設けたビス孔を本固定用と仮固定用との何れかに選択して使用するようにしてもよい。
【００３０】
［形態４］
図１１に示すブラケット金具６０は、長辺部６２と短辺部６３とからなる側面視Ｌ字状の板体６１と、その板体６１の長辺部６２の幅方向中央に固定される矩形状のダンパー固定部６４とからなる。ダンパー固定部６４には、複数のビス孔６５，６５・・がそれぞれ設けられる一方、ダンパー固定部６４の左右両側で長辺部６２と短辺部６３とにも、複数のビス孔がそれぞれ設けられる。但し、ここではダンパー固定部６４の左右一方側に位置する長辺部６２と短辺部６３とが本固定部Ｓ１となって本固定用ビス孔６６，６６・・が形成され、ダンパー固定部６４の他方側に位置する長辺部６２と短辺部６３とが仮固定部Ｓ２となって仮固定用ビス孔６７，６７・・が形成されている。
【００３１】
このブラケット金具６０も、形態１，２と同様にフレーム２内で制震ブレース３を対角線上に架設させるために用いられる。すなわち、フレーム２の各仕口部においては、図１２に示すように、長辺部６２の仮固定部Ｓ２を、仮固定用ビス孔６７，６７・・を用いて縦枠４に仮固定用ビス２０で固定し、短辺部６３の仮固定部Ｓ２を、仮固定用ビス孔６７，６７・・を用いて横枠５に仮固定用ビス２０で固定することでフレーム２に仮固定できる。次に、ダンパー固定部６４の仮固定部Ｓ２側の面に延長木材８の端部をあてがってビス孔６５を用いてビス２１で固定することで、制震ブレース３をブラケット金具６０，６０間に架設した制震フレーム１Ｃを得ることができる。この状態で各ブラケット金具６０の本固定部Ｓ１は延長木材８で隠されることなく露出している。
【００３２】
そして、施工現場では、長辺部６２の本固定部Ｓ１を、本固定用ビス孔６６，６６・・を用いて縦枠４を介して柱３１まで本固定用ビス３４をねじ込んで本固定する。そして、短辺部６３の本固定部Ｓ１も、本固定用ビス孔６６，６６・・を用いて横枠５を介して上側のブラケット金具６０では梁３２まで、下側のブラケット金具６０では土台３３まで本固定用ビス３４をねじ込んで本固定する。すると、制震フレーム１Ｃのフレーム２が本固定用ビス３４，３４・・によって軸組３０内に固定されると共に、制震ブレース３の延長木材８，８がブラケット金具６０，６０を介して軸組３０に固定される。
【００３３】
このように、上記形態４の制震フレーム１Ｃ及びその取付構造においても、軸組３０内に嵌合固定される木製のフレーム２と、フレーム２内に配置される粘弾性ダンパー７と、粘弾性ダンパー７が延長木材８，８を介して間接的に固定されるダンパー固定部６４、軸組３０への本固定部Ｓ１、フレーム２への仮固定部Ｓ２を備えたブラケット金具６０，６０と、を含む制震フレーム１Ｃを予め製造して、ブラケット金具６０を、ダンパー固定部６４に延長木材８を固定した状態で、仮固定部Ｓ２を介してフレーム２に仮固定し、本固定部Ｓ１をフレーム２を介して軸組３０に本固定するようにしたことで、予め製造した制震フレーム１Ｃを施工現場で軸組３０に取り付けるパネル工法にも適用可能となり、必要な制震作用が得られる。よって、品質管理や施工が容易で工期が短縮できるというパネル工法による利点も享受できる。
【００３４】
なお、形態４において、ダンパー固定部のビス孔の数と、本固定用ビス孔及び仮固定用ビス孔の数とは、上記形態に限らず、適宜増減可能である。よって、仮固定用ビス孔を本固定用ビス孔よりも数を少なくすることもできる。本固定部と仮固定部とは左右逆であってもよい。但し、これらのビス孔は全て用いる必要はなく、一部を選択してビスをねじ込むようにしても差し支えない。
また、ダンパー固定部や板体の形状も、例えばダンパー固定部を矩形状以外に延長木材の接合方向へ突出する台形状としたり、正方形状や扇状としたり、板体の両端を同じ長さとしたり、仮固定部の幅を本固定部の幅よりも狭くしたり等、適宜変更可能である。
さらに、仮固定、本固定共にビスによる固定としているが、例えば仮固定を釘打ちとして本固定をビスとする等、仮固定と本固定とで固定手段を変えることもできる。
【００３５】
そして、各形態に共通して、制震ブレースは、制震ダンパーの両端に延長木材を接合しているが、延長木材に限らず鋼材等の他の取付部材も採用できる。また、取付部材は制震ダンパーの両端に接合する以外に、例えば制震ダンパーの一端側のみに延長木材等の取付部材を接合して、制震ダンパーの他端を直接ブラケット金具に取り付けることも可能である。
【００３６】
さらに、ブラケット金具の形状によっては、ブラケット金具と軸組との間に跨がって補強プレートを設けることも可能である。図１３，１４はその一例を示すもので、形態１の制震フレーム１を軸組３０に取り付ける際に、ブラケット金具１３のダンパー固定部１４の外側から、上側の仕口部ではダンパー固定部１４と柱３１及び梁３２とに跨がって、下側の仕口部ではダンパー固定部１４と柱３１及び土台３３とに跨がって矩形状の補強プレート７０，７０をそれぞれ固定している。ここではダンパー固定部１４側ではビス２１によって補強プレート７０も同時に延長木材８へ固定され、柱３１や梁３２若しくは土台３３側ではビス７１によって補強プレート７０が固定されている。
このような補強プレート７０を設ければ、ブラケット金具１３と軸組３０とがより強固に固定される。なお、補強プレートの形状はこの変更例に限らず、柱側と横架材側とに分けて複数設けたり、ブラケット金具の形状によっては軸組の前後でブラケット金具を挟むように設けたりすることもできる。
【００３７】
また、制震ブレースは対角線上に架設する以外に、一対の制震ダンパーを上下軸対称に配置するいわゆるＫブレース状に架設することもできる。この場合も、フレームの仕口部で各制震ダンパーの一端側が取り付けられるブラケット金具と、柱の中間部位で両制震ダンパーの他端側が取り付けられるブラケット金具とに本固定部と仮固定部とを設ければよい。このとき、取付部材は省略して制震ダンパーの端部を直接ブラケット金具に取り付けることもできる。
【００３８】
一方、粘弾性ダンパーは、同軸で重合される複数の管とその間の粘弾性体とからなるスリーブ型に限らず、複数の帯状の鋼板とその間の粘弾性体とからなる積層型であってもよいし、制震ダンパーとしては粘弾性ダンパー以外にオイルダンパー等も採用できる。
また、制震ブレースに限らず、積層型の粘弾性ダンパーを取付部材を介して上下の梁と土台との間に架設する場合も、取付部材と梁及び土台とを接合するブラケット金具に本固定部と仮固定部とを設けて本発明を採用することができる。このような壁型の制震ダンパーでも取付部材を省略して制震ダンパーの端部を直接ブラケット金具に取り付けることは可能である。
【符号の説明】
【００３９】
１，１Ａ〜１Ｃ・・木造用制震フレーム、２・・フレーム、３・・制震ブレース、４・・縦枠、５・・横枠、７・・粘弾性ダンパー、８・・延長木材、１３，４０，５０，６０・・ブラケット金具、１４，４１，５４，６４・・ダンパー固定部、１５，４２・・第１取付部、１６，４３・・第２取付部、１７，４４，５５，６５・・ビス孔、１８，５６，６６・・本固定用ビス孔、１９，５７，６７・・仮固定用ビス孔、２０・・仮固定用ビス、２１・・ビス、３０・・軸組、３１・・柱、３２・・梁、３３・・土台、３４・・本固定用ビス、５１，６１・・板体、５２，６２・・長辺部、５３，６３・・短辺部、Ｓ１・・本固定部、Ｓ２・・仮固定部。
【図１】
0006546389.tif 000002
【図２】
0006546389.tif 000003
【図３】
0006546389.tif 000004
【図４】
0006546389.tif 000005
【図５】
0006546389.tif 000006
【図６】
0006546389.tif 000007
【図７】
0006546389.tif 000008
【図８】
0006546389.tif 000009
【図９】
0006546389.tif 000010
【図１０】
0006546389.tif 000011
【図１１】
0006546389.tif 000012
【図１２】
0006546389.tif 000013
【図１３】
0006546389.tif 000014
【図１４】
0006546389.tif 000015